(57)【要約】      （修正有）【課題】使用場所を制限されることなく、使用者の用途に合わせて柔軟に且つ容易に合わせ鏡を構成できる鏡体装置を提供する。【解決手段】固定された第１の鏡Ｍと第１の鏡に固定端側で連結されて屈曲可能なアーム部２０と、アーム部の自由端側に連結され、第１の鏡と対向配置される第２の鏡３０と、第１の鏡とアーム部とを接続する接続部４０とを備える。接続部４０は、アーム部と第１の鏡とを回動可能に固定する可動部４１をさらに有する。また、接続部４０には、アーム部と第１の鏡とを着脱可能に接続する吸盤部をさらに設けることができる。【選択図】図１
0003201318.tif 000002
【実用新案登録請求の範囲】
【請求項１】
固定された第１の鏡と
前記第１の鏡に固定端側で連結され、屈曲が可能なアーム部と、
前記アーム部の自由端側に連結され、前記第１の鏡と対向配置される第２の鏡と、
前記第１の鏡と前記アーム部とを接続する接続部と
を備え、
前記アーム部の前記固定端側から前記自由端側にわたって延設され、アーム部の径方向断面中央からそれぞれ偏心されて配置された一対のワイヤー手段と、
前記一対のワイヤー手段を、前記アーム部の内壁部分に係合させるガイド部と、
前記固定端側又は前記自由端側のいずれかにおいて、前記一対のワイヤー手段の、一方又は両方を引っ張る牽引手段と
を備えることを特徴とする鏡体装置。
【請求項２】
前記接続部は、前記アーム部と前記第１の鏡とを回動可能に固定する可動部をさらに有することを特徴とする請求項１に記載の鏡体装置。
【請求項３】
前記接続部は、前記アーム部と前記第１の鏡とを着脱可能に接続する着脱部をさらに有することを特徴とする請求項１又は２に記載の鏡体装置。
【請求項４】
前記着脱部は、平面に吸着可能な吸盤を有することを特徴とする請求項３に記載の鏡体装置。
【請求項５】
前記接続部は、前記第１の鏡の鉛直方向又は水平方向に沿って延設されたレール上をスライド移動されるスライダー部を備え、
前記アーム部は、前記スライダー部により前記レールに沿って移動可能となっている
ことを特徴とする請求項１に記載の鏡体装置。
【請求項６】
前記アーム部の前記固定端側から前記自由端側にわたって挿通され、前記アーム部の屈曲状態を塑性変形により保持可能な芯部材をさらに有することを特徴とする請求項１乃至５のいずれかに記載の鏡体装置。
【請求項７】
前記アーム部の前記自由端側に設けられ、前記第２の鏡の前記自由端に対する角度を変化させる駆動手段をさらに有することを特徴とする請求項１乃至６のいずれかに記載の鏡体装置。
【考案の詳細な説明】
【技術分野】
【０００１】
本考案は、合わせ鏡に最適な鏡体装置に関する。
【背景技術】
【０００２】
家庭において染髪する際や、頭頂部や後頭部等に髪飾りや付け毛等を装着する際、一般的には、合わせ鏡が用いられることがある。すなわち、姿見や洗面台に設置された鏡等の第１の鏡に対して、手鏡等の第２の鏡を対面させ、第２の鏡に映った後姿を第１の鏡にて見る方法である。
【０００３】
このような合わせ鏡においては、使用者が手鏡等の第２の鏡を片方の手で支持することを要するので、染髪作業等は片手でしか行うことができずに不便であり、特に、ヘアブラシと洗髪剤塗布用の刷毛等を両手で同時に扱うような作業の場合は、それだけで両手を必要とするので、合わせ鏡の使用が不可能となり、結局は目視確認しながらの染髪作業はできなくなるという難点があった。このような課題を解決するために、従来より、第２の鏡を第１の鏡に対面した状態で固定することによって、使用者が手で支持することなく合わせ鏡を使用することができる装置が考案されてきた。
【０００４】
このような鏡体装置として、例えば、特許文献１に記載の合わせ鏡装置がある。この合わせ鏡装置は、アームの基端部と中間部と自由端部にそれぞれ静止可能な曲折接合部を設ける一方、基端部と自由端部における各曲折接合部及びにそれぞれ静止可能な旋回接合部を設け、さらに、基端部側旋回接合部に固定手段を設け、自由端部側旋回接合部に平面鏡を設けたものである。この特許文献１に開示された合わせ鏡装置によれば、任意の場所に固定手段を固定することによりアームの基端部を固定し、そのアームによって平面鏡が支持される。そして、合わせ鏡装置と主鏡とを組合わせて自己の後姿を見ようとする人が平面鏡と主鏡との間に介在して、自己の後姿の映像を適切に見ることが可能な位置と角度に平面鏡を移動調整し、曲折接合部と旋回接合部を静止させて移動調整後の平面鏡の位置と角度を維持する。
【先行技術文献】
【特許文献】
【０００５】
【特許文献１】実開平５−８０３５８号公報
【考案の概要】
【考案が解決しようとする課題】
【０００６】
しかしながら、特許文献１に記載された技術では、角度調整に際し、手動で折曲接合部と旋回接合部を移動調整し、静止させて平面鏡を維持する構成であるため、その調整作業が煩わしく、実用性に欠けるという問題があった。
【０００７】
そこで、本考案は、上記のような問題を解決するものであり、合わせ鏡を構成する装置において、ユーザーの操作によって自在に作動する機構によって鏡の移動調整や角度調整を簡単に行える鏡体装置を提供することを目的とする。
【課題を解決するための手段】
【０００８】
上記課題を解決するために、本考案は、固定された第１の鏡と第１の鏡に固定端側で連結され、屈曲が可能なアーム部と、アーム部の自由端側に連結され、第１の鏡と対向配置される第２の鏡と、第１の鏡とアーム部とを接続する接続部とを備え、
前記アーム部の前記固定端側から前記自由端側にわたって延設され、アーム部の径方向断面中央からそれぞれ偏心されて配置された一対のワイヤー手段と、
前記一対のワイヤー手段を、前記アーム部の内壁部分に係合させるガイド部と、
前記固定端側又は前記自由端側のいずれかにおいて、前記一対のワイヤー手段の、一方又は両方を引っ張る牽引手段とを備えることを特徴とする。
【０００９】
このような本考案によれば、第１の鏡に対して第２の鏡を、アーム部を介して対向配置させることができ、これら第１及び第２の鏡の間に位置することにより、所謂合わせ鏡の効果により、普段見にくい後頭部などを観察することができる。
【００１０】
特に、上記考案は、一対のワイヤー手段のうち一方のワイヤーをモーターなどの牽引手段により引っ張ることにより、引っ張られたワイヤー側にアーム部を自動的に屈曲させることができる。すなわち、一対のワイヤー手段は、アーム部中心よりも偏心されて位置されていることから、一方のワイヤー手段を引っ張ることにより、アーム部の偏心された位置に曲げ応力を生じさせることができ、アーム部を屈曲させることができる。なお、一対のワイヤー手段の両方を引っ張った場合には、一対のワイヤー手段の双方に引張応力を生じさせることができ、アーム部の曲げ剛性を高めることができ、アームの屈曲形状を、ユーザーの操作によって自在に作動する機構によって自動的に保持することができる。
【００１１】
上記考案において、接続部は、アーム部と第１の鏡とを回動可能に固定する可動部をさらに有することが好ましい。この場合には、アームを第１の鏡に対して回動可能に固定するため、さらに自由に第１の鏡に対する第２の鏡の位置を調節することができ、利便性を高めることができる。
【００１２】
上記考案において、接続部は、アーム部と第１の鏡とを着脱可能に接続する着脱部をさらに有することが好ましい。この場合には、第１の鏡から、アーム部及び第２の鏡を外して携帯することができ、第１の鏡に代わる鏡がある場所であれば、アーム部をその鏡に取り付けることによって、外出先であっても容易に本考案を実施することができる。
【００１３】
上記考案において、前記着脱部は、平面に吸着可能な吸盤を有することが好ましい。この場合には、吸盤の吸着力によって着脱させるため、特別な器具や接着剤、電源等を必要とすることなく、どこでも本考案を実施することができる。
【００１４】
上記考案において、前記接続部は、前記第１の鏡の鉛直方向又は水平方向に沿って延設されたレール上をスライド移動されるスライダー部を備え、前記アーム部が、前記スライダー部により前記レールに沿って移動可能となっていることが好ましい。この場合には、高さ方向や水平方向にスライド移動させることにより、身長の高い人や子供なども容易に利用できるとともに、左右の位置なども容易に変更できるようになり、本考案の利用範囲を拡大することができる。
【００１５】
上記考案において、アーム部の固定端側から自由端側にわたって挿通され、アーム部の屈曲状態を塑性変形により保持可能な芯部材をさらに有することが好ましい。この場合には、芯部材の塑性変形によりアーム部の屈曲状態を保持できるため、鏡相互の角度や距離、位置などを自由に設定して固定させることができる。
【００１６】
上記考案において、前記アーム部の前記自由端側に設けられ、前記第２の鏡の前記自由端に対する角度を変化させる駆動手段をさらに設けることが好ましい。この場合には、アーム部先端に対する第２の鏡の角度を自動若しくは遠隔操作により調節できるため、合わせ鏡の微調整が容易に行うことができ、本考案の利便性をより高めることができる。
【考案の効果】
【００１７】
以上述べたように、本考案に係る鏡体装置によれば、使用場所を制限されることなく、ユーザーの操作によって自在に作動する機構によって、使用者の用途に合わせて柔軟に合わせ鏡を構成することができる。
【図面の簡単な説明】
【００１８】
【図１】実施形態に係る鏡体装置の全体構成を示す斜視図である。
【図２】実施形態に係る鏡体装置の全体構成を示す斜視図である。
【図３】（ａ）は実施形態に係る鏡体装置のアーム部の内部構成を示す平面図であり、（ｂ）はアーム部先端における駆動手段の概略構成を示す断面図である。
【図４】実施形態に係る第２の鏡の変更例を示す説明図である。
【図５】実施形態に係る接続部の変更例を示す説明図である。
【図６】実施形態に係る接続部の他の変更例を斜視図である。
【図７】実施形態に係るリモコンを示す説明図である。
【考案を実施するための形態】
【００１９】
（鏡体装置の構成）
以下に添付図面を参照して、本考案に係る鏡体装置の実施形態を詳細に説明する。なお、各図は本考案を十分に理解できる程度に概略的に示してあるに過ぎない。従って、本考案は図示例のみに限定されるものではない。また、参照する図面において、共通する構成要素や同様な構成要素については同一の符号を付し、それらの重複する説明を省略する。
【００２０】
図１及び図２は、本実施形態に係る鏡体装置の構成を示す斜視図である。図３（ａ）は本実施形態に係る鏡体装置のアーム部の内部構成を示す平面図であり、図３（ｂ）はアーム部先端における駆動手段の概略構成を示す断面図である。図４は、変更例に係る第２の鏡の変更例を示す説明図であり、図５は、変更例に係る接続部の変更例を示す説明図である。
【００２１】
本実施形態において、鏡体装置１０は、固定された第１の鏡Ｍと接続して合わせ鏡として使用するためのものであり、主にアーム部２０と、第２の鏡３０と、接続部４０とから構成される。
【００２２】
アーム部２０は、図１及び図２に示すように、固定端側にて第１の鏡Ｍに連結されており、自由端側には第２の鏡３０を備えている。鏡Ｍは、壁や洗面台、鏡台などに固定された大鏡でもよく、携帯可能な小さいサイズの小鏡であってもよい。一方、第２の鏡３０は、アーム部２０によって鏡Ｍから離間された位置において鏡Ｍと対向配置され、アーム部２０の屈曲により高さや角度が変更される鏡であり、広範囲を映し込めるような広角凸面鏡であったり、一部分を大きく映す拡大鏡であってもよい。
【００２３】
アーム部２０は、屈曲可能に構成されており、図示したように１つ又は複数の関節部によって屈曲してもよいし、どの部位でも自在に折り曲げ可能な素材（例えば、フレキシブルチューブなど）であってもよい。具体的に、本実施形態に係るアーム部２０は、鏡Ｍ側の接続部４０に回転可能に接続された第１関節部２１と、第１関節部２１を介して回動可能に接続された円筒状の第１アーム２２と、第１アーム２２の他端側に回転可能に接続された第２関節部２３と、第２関節部２３を介して回動可能に接続された円筒状の第２アーム２４と、第２アーム２４の他端側に回転可能に接続された第３関節部２５と、第３関節部２５に連結された環状体２６を介して第２アーム２４に対して回動可能に接続された第３アーム２７と、第３アーム２７の中間部において回転可能に接続される鏡回動部２８とを備えている。
【００２４】
第１関節部２１は、円盤状をなす回転部２１ａ，２１ｂを相互に摺動回転可能に貼り合わせることで構成されており、回転部２１ａは接続部４０側の可動部４１に接続され、他方の回転部２１ｂには、次の第１アーム２２が接続され、これら回転部２１ａ，２１ｂが相互に摺動回転されることによって、第１アーム２２が接続部４０に対して摺動回転面内において回動される。なお、回転部２１ａ自体も可動部４１に対して軸回転可能に接続されているため、第１アーム２２は、接続部４０に対して、回動及び軸回転可能となり自由自在な方向に向けることができる。
【００２５】
第２関節部２３も同様に、円盤状をなす回転部２３ａ，２３ｂを相互に摺動回転可能に貼り合わせることで構成されており、回転部２３ａは第１アーム２２に軸回転可能に接続され、他方の回転部２３ｂには、次の第２アーム２４が接続され、これら回転部２３ａ，２３ｂが相互に摺動回転されることによって、第２アーム２４が第１アーム２２に対して摺動回転面内において回動される。なお、回転部２３ａ，２３ｂ自体も第１アーム２２若しくは第２アーム２４に対して軸回転可能に接続されているため、第２アーム２４は、第１アーム２２に対して、回動及び軸回転可能となり自由自在な方向に向けることができる。
【００２６】
さらに、第３関節部２５も同様に、柱状をなす回転部２５ａ，２５ｂを相互に摺動回転可能に貼り合わせることで構成されており、回転部２５ａは第２アーム２４に軸回転可能に接続され、他方の回転部２５ｂには、次の第３アーム２７を接続するための環状の環状体２６が接続されている。環状体２６は、柱状の回転部２５ａに対して次の第３アーム２７に直角に交わるように回転部２５ｂに固定されている。そして、回転部２５ａ，２５ｂが相互に摺動回転されることによって、第３アーム２７が環状体２６を介して第２アーム２４に対して摺動回転面内において回動される。なお、回転部２５ａ自体も第２アーム２４に対して軸回転可能に接続されているため、第３アーム２７は、第２アーム２４に対して、回動及び軸回転可能となり自由自在な方向に向けることができる。
【００２７】
鏡回動部２８は、第３アーム２７に嵌合され，第３アーム２７の周面に沿って回転及びスライド移動される部材であり、これにより鏡３０が第３アーム２７の周面に沿って回動又は長手方向へのスライド移動が可能となっている。
【００２８】
（アーム部の内部構造）
図３（ａ）は、アーム部の内部構造を示す断面図である。図３（ａ）に示すように、アーム部２０の内部には、アーム部２０の屈曲状態を塑性変形により保持することができるように、芯部材５０が固定端側から自由端側にわたって挿通されている。この芯部材５０は、例えば金属など塑性変形により屈曲状態を維持しうる素材であり、針金状のほか、金属や樹脂で形成した螺旋管やインターロックチューブ等のフレキシブルパイプ、フレキシブルチューブなどを用いることができる。これによって、芯部材の塑性変形によりアーム部２０の屈曲状態を保持できるため、鏡相互の角度や距離、位置などを自由に設定して固定させることができる。
【００２９】
また、本実施形態では，アーム部２０を自動的に屈曲させるための駆動機構を備えている。この駆動機構は、モーターやエンコーダー等を有する動力源と、この動力源からの動力を伝達する伝達機構を備えている。伝達機構としては、アーム部２０の内部に一対のワイヤー手段６０、６１が設けられている。ワイヤー手段６０、６１は、アーム部２０の固定端側から自由端側にわたって延設されており、固定端側で動力源である牽引手段６２，６３に接続され、他端側である第３関節部２５内において緊結部２６ａに緊結されている。この緊結部２６ａは、第３関節内において環状体２６に連結されるとともに、第３関節の回転中心である中心軸２５ｃを中心として回動可能となっている。また、ワイヤー手段６０、６１は、アーム部２０の径方向断面中央、すなわち各第１及び第２アーム２２，２４の中心軸からそれぞれ偏心されて配置されている。
【００３０】
そして、ワイヤー手段６０、６１に異なる引張力が作用すると、引張力の強い方へと、中心軸２５ｃを中心として緊結部２６ａを回転させる偏心力が作用し、緊結部２６ａが環状体２６とともに、回転されることとなる。このとき緊結部２６ａは、回転角度が制限されており、一定の角度まで回転されるとそれ以上は回転できないようになっている。この回転が制限されるまで緊結部２６ａが回転した後に、さらに偏心力が作用した場合には、ワイヤー手段６０，６１が偏心されていることにより、偏心力が第２関節部２３から第１関節部２１まで作用し、これら第１関節部２１及び第２関節部２３が回動され、アーム部２０が屈曲されることとなる。
【００３１】
動力源である牽引手段６２，６３は、アーム部２０の固定端側に備えられ、一対のワイヤー手段６０，６１をそれぞれ牽引するモーターなどの駆動装置であり、ワイヤー手段６０、６１を、異なる引張力が生じるように牽引することにより、自由端先端の緊結部２６ａに偏心力を作用させて、大きな引張力が付加されたワイヤー側にアーム部２０を屈曲させることができる。すなわち、一対のワイヤー手段６０、６１は、それぞれアーム部２０の中心よりも偏心されて位置されていることから、一方のワイヤー手段６０又は６１を強く引っ張ることにより、アーム部２０の偏心された側に曲げ応力を生じさせることができ、アーム部２０を屈曲させることができる。図３（ａ）の例では、ワイヤー手段６１を引っ張れば、ワイヤー手段６０が偏心している側、すなわち、アーム部２０は左に屈曲する。なお、一対のワイヤー手段６０、６１の両方を引っ張った場合には、一対のワイヤー手段６０、６１の双方に引張応力を生じさせることができ、アーム部２０の曲げ剛性を高めることができ、アームの屈曲形状を動的に保持することができる。
【００３２】
さらに、本実施形態では、図３（ａ）及び（ｂ）に示すように、アーム部２０の自由端側に設けられ、鏡３０の自由端に対する角度を変化させる駆動機構をさらに備えている。この駆動機構は、第３アーム２７と、鏡３０の接続部分に設けられており、駆動力源であるモータ２８ａと、モータ２８ａの駆動力を鏡３０側に伝達するギア群２８ｂ〜ｄとを有している。
【００３３】
モータ２８ａは、電力で回転駆動される電動機であり、内部中空の筒状体である第３アーム２７の内部に、基台２７ａを介して固定されており、その回転駆動力をギア群２８ｂ〜ｄを介して外部の鏡回動部２８に伝達し、鏡回動部２８を介して鏡３０を第３アーム２７を軸に回動させる。このモータ２８ａは、例えばアーム部２０の鏡Ｍ側の手元スイッチや、図７に示すような遠隔操作用のリモコン７０のボタン７０ｄによって、そのＯＮ／ＯＦＦ又は回転方向が切り替えられ、鏡３０を第３アーム２７を軸に首振り動作をさせることができる。ギア群２８ａは、ピニオンギア２８ｂ及び２８ｃと円弧状のラック２８ｄとから構成されており、ピニオンギア２８ｂはモータ２７ａの回転軸に接続されており、ギア２８ｃを介して、円弧状のラック２８ｄを第３アーム２７の外周に沿って移動させる。
【００３４】
すなわち、ギア２８ｃは、その歯車の一部が第３アーム２７の開口部を介してアーム２７の外周面より外方へと突出しており、第３アーム２７の外部に配置されたラック２８ｄに噛合されている。ラック２８ｄは、鏡回動部２８側に固定された円弧状の歯車であり、鏡回動部２８とともに、第３アーム２７の外周に沿って移動可能となっている。したがって、モータ２８ａが回転されると、その回転力がラック２８ｄに伝達され、ラック２８ｄは第３アーム２７の外周面に沿ってスライド移動され、これにより鏡回動部２８を介して鏡３０が首振り動作を行うようになっている。この鏡３０の首振り動作によって、その角度を自動若しくは遠隔操作により調節できるため、合わせ鏡の微調整が容易に行うことができ、利便性をより高めることができる。
【００３５】
また、アーム部２０の屈曲についても、牽引手段６２，６３の動作を、鏡Ｍ側の手元スイッチや、図７に示すようなリモコン７０のボタン７０ａでコントロールすることによって、遠隔操作が可能なように構成してもよい。この場合、使用者のリモコン操作によって牽引手段６２を駆動させることができるので、使用者は第１の鏡Ｍのみを見ながら第２の鏡３０の位置や角度を調整することができる。
【００３６】
第２の鏡３０は、アーム部２０の自由端側に連結されており、第１の鏡Ｍと対向配置されている。重量負担を軽減するためにできる限り軽量であることが望ましいため、鏡面が湾曲した曲面鏡であってもよい。この場合、狭い面積でも広い被写体を映すことができ、鏡を軽量化させることができる。
【００３７】
また、第２の鏡には、図４に示すように、バックライトとして機能する豆電球やＬＥＤライト等の光源を備えていてもよい。この場合、第２の鏡の両サイドや周囲などに光源を配置するのが好ましい。これにより、使用者の背後が薄暗くて被写体がよく見えないといった課題を解決することができる。なお、このバックライトについても、鏡Ｍ側の手元スイッチや、図７に示すようなリモコン７０のボタン７０ｃによる遠隔操作が可能なように構成してもよい。
【００３８】
また、第２の鏡３０に設けられた光源の操作については、リモコンによる遠隔操作が可能なように構成してもよい。この場合、使用者のリモコン操作によって光源の入切や明るさの調整が可能になるので、使用者は第１の鏡Ｍのみを見ながら光源の明るさ等を調整することができる。
【００３９】
接続部４０は、第１の鏡Ｍと、アーム部２０とを接続するためのものである。第１の鏡の形態によって様々な構成が考えられるが、図示しているのは、第１の鏡Ｍの側面を挟んで固定することによって接続している。このほか、第１の鏡Ｍが壁面に埋め込まれている場合には、鏡面にネジ止めしたり、粘着テープや磁石等によって接続してもよい。
【００４０】
この場合、第１の鏡Ｍとアーム部２０とを回動可能に固定する可動部を設けることができる。さらに、第１の鏡Ｍとアーム部２０とを着脱可能に接続する着脱部を設けてもよい。この場合、図５に示すように、平面に吸着可能な吸盤であってもよい。
【００４１】
さらに、接続部としては、図６に示すような、上下動可能な構成としてもよい。詳述すると、図６に示すように、鏡Ｍの側部を垂直方向に沿ってレール１１を延設し、このレール１１上をスライド移動されるスライダー部４３を設ける。レール１１は、左右一対のレール部材１１ａ，１１ａの間に形成された間隙である軌道１１ｂを有しており、この軌道１１ｂにスライダー部４３が摺動可能に嵌合される。スライダー部４３には、アーム部２０の第１関節部２１が連結されており、スライダー部４３がレール１１に沿って上下に移動するのにともなって、アーム部２０も上下に昇降される。また、このスライダー部４３には、上下動を固定するストッパ４３ａが備えられている。このストッパ４３ａは、バネなどの付勢手段によりレール１１側に押圧される構成となっており、手動又は電動により押圧力を変化させ、スライダー部４３を上下に移動させた後にレール１１側に押圧されて、スライダー部４３を任意の位置に固定することができる。
【００４２】
この、スライダー部４３についても、例えば電動モーターを内蔵させるなどして、自動的に上下動できるように構成することもできる。この場合には、電動モーターの動作を、鏡Ｍ側の手元スイッチや、図７に示すようなリモコン７０のボタン７０ｂでコントロールすることによって、スライダー部４３の位置を手元で上下させることができ、利便性をさらに高めることができる。
【００４３】
このような変更例によれば、高さ方向にアーム部２０全体をスライド移動させることにより、身長の高い人や子供なども容易に利用できる。なお、レール１１は、鏡Ｍの上側や下側に水平に取付けてもよく、この場合には、左右の位置なども容易に変更できるようになり、利用範囲をさらに拡大することができる。
【００４４】
（使用態様）
次いで、上述した鏡体装置の使用態様について説明する。本実施例における鏡体装置１０は、図１及び２に示すように、まず、第１の鏡Ｍの任意の箇所に接続部４０を接続することにより、アーム部２０の固定端側が固定され、そのアーム部２０によって、第２の鏡３０が支持される。次に、第１の鏡Ｍと第２の鏡３０とを組み合わせて自己の後姿を見ようとする使用者が第１の鏡Ｍと第２の鏡３０の間に介在して、自己の後姿の映像を適切に見ることが可能な位置と角度にするため、アーム部２０を屈曲させて第２の鏡３０を調整する。アーム部２０は静止して位置と角度を維持するので、第２の鏡３０は使用者が手で保持することを要せずにアーム部２０によって支持される。使用者は第１の鏡Ｍを見たときには、第２の鏡３０を介して自己の後姿の部分像を見ることができ、また、第２の鏡３０を見たときには、第１の鏡Ｍを介して自己の全体像を見ることができる。
【００４５】
（作用・効果）
このような本実施形態によれば、第１の鏡Ｍに対して第２の鏡３０を、アーム部２０を介して対向配置させることができ、これら第１及び第２の鏡の間に使用者が位置することにより、所謂合わせ鏡の効果により、普段見にくい後頭部などを観察することができる。すなわち、第１の鏡Ｍを見たときには、第２の鏡３０を介して自己の後姿の部分像を見ることができ、また、第２の鏡３０を見たときには、第１の鏡Ｍを介して自己の全体像を見ることができる。これによって、後頭部を染髪する作業や付け毛、髪飾りを装着する際、後頭部を目視して確認しながら両手を使った作業ができるようになる。
【００４６】
また、本実施形態によれば、アームを第１の鏡Ｍに対して回動可能に固定するため、さらに自由に第１の鏡Ｍに対する第２の鏡３０の位置、角度を調節することができ、利便性を高めることができる。さらに、本実施形態によれば、第１の鏡Ｍから、アーム部２０及び第２の鏡３０を取り外して携帯することができ、第１の鏡Ｍに代わる鏡がある場所であれば、アーム部２０をその鏡に取り付けることによって、外出先であっても容易に本考案を実施することができる。
【００４７】
併せて、本実施形態によれば、吸盤部４２の吸着力によって着脱させるため、特別な器具や接着剤、電源等を必要とすることなく、どこでも本考案を実施することができる。さらに、本実施形態によれば、芯部材５０の塑性変形によりアーム部２０の屈曲状態を保持できるため、鏡相互の角度や距離、位置などを自由に設定して固定させることができる。
【００４８】
また、本実施形態によれば、一対のワイヤー手段６０、６１のうち一方のワイヤーをモーターなどの牽引手段６２、６３により引っ張ることにより、引っ張られたワイヤー側にアーム部２０を屈曲させることができる。すなわち、一対のワイヤー手段６０、６１は、アーム部２０の中心よりも偏心されて位置されていることから、一方のワイヤー手段を引っ張ることにより、アーム部２０の偏心された位置に曲げ応力を生じさせることができ、アーム部２０を屈曲させることができる。なお、一対のワイヤー手段６０、６１の両方を引っ張った場合には、一対のワイヤー手段６０、６１の双方に引張応力を生じさせることができ、アーム部２０の曲げ剛性を高めることができ、アームの屈曲形状を動的に保持することができる。
【符号の説明】
【００４９】
Ｍ…第１の鏡
１０…鏡体装置
１１…レール部
１１ａ，１１ａ…レール部材
１１ｂ…軌道
２０…アーム部
２１…第１関節部
２１ａ，２１ｂ…回転部
２２…第１アーム
２３…第２関節部
２３ａ，２３ｂ…回転部
２４…第２アーム
２５…第３関節部
２５ａ，２５ｂ…回転部
２５ｃ…中心軸
２６…環状体
２６ａ…緊結部
２７…第３アーム
２７ａ…基台
２８…鏡回動部
２８ａ…モータ
２８ｂ〜ｄ…ギア群
３０…第２の鏡
４０…接続部
４１…可動部
４２…吸盤部
４３…スライダー部
５０…芯部材
６０，６１…ワイヤー手段
６２，６３…牽引手段
７０…リモコン
【図１】
0003201318.tif 000003
【図２】
0003201318.tif 000004
【図３】
0003201318.tif 000005
【図４】
0003201318.tif 000006
【図５】
0003201318.tif 000007
【図６】
0003201318.tif 000008
【図７】
0003201318.tif 000009